【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
画像が形成された用紙を搬送路に沿って搬送する搬送部と、
前記搬送路と対向する基準面に第１開口を有し、搬送された前記用紙を案内する第１ガイド部材と、
前記第１ガイド部材により案内された前記用紙を介して前記基準面を押圧して前記用紙を前記基準面に当接させることにより、前記基準面における前記第１開口内に設定された測色範囲に前記用紙上の前記画像を配置する第１対向部材と、
基準色の校正部材を有する押圧面で前記基準面を押圧して、前記測色範囲に前記校正部材を配置する第２対向部材と、
前記第１ガイド部材を挟んで前記搬送路の反対側に配置され、前記測色範囲に配置される、前記用紙上の前記画像および前記校正部材を測色する測色部と、
前記測色部により前記用紙上の前記画像を測色する第１モードおよび前記測色部により前記校正部材を測色する第２モードに対応して前記第１対向部材および前記第２対向部材を移動させる部材移動部と、を有し、
前記部材移動部は、前記第１モードに対応して、前記第１対向部材を回転軸の周りを回転させて前記第１開口を介して前記測色部と対向する位置に切り替えた後、前記第１ガイド部材に近づく方向に移動させることにより前記基準面を押圧させ、前記第２モードに対応して、前記第２対向部材を前記回転軸の周りを回転させて前記押圧面が前記第１開口を介して前記測色部と対向する位置に切り替えた後、前記第１ガイド部材に近づく方向に移動させることにより前記押圧面で前記基準面を押圧させる、画像読取装置。
【請求項２】
前記搬送路を介して前記基準面に対向する面に第２開口を有し、前記用紙を案内する第２ガイド部材と、
前記第２開口の少なくとも一部を塞ぐ開口塞ぎ部材と、をさらに有し、
前記部材移動部は、前記測色部による測色を行わない第３モードに対応して、前記開口塞ぎ部材を前記第２開口の少なくとも一部を塞ぐ位置に配置させる、請求項１に記載の画像読取装置。
【請求項３】
前記部材移動部は、前記第１対向部材および前記第２対向部材が、前記第２ガイド部材を挟んで前記搬送路の反対側に配置されるように前記第１対向部材および前記第２対向部材を前記第２開口を通じて移動させるとともに、前記開口塞ぎ部材を前記基準面から所定距離離れた位置に移動させる、請求項２に記載の画像読取装置。
【請求項４】
前記第２開口は、前記第２ガイド部材の、前記第１開口を介して前記測色部と対向する位置に設けられ、
前記部材移動部は、前記第１モードに対応して、前記第１対向部材を回転軸の周りを回転させて前記第１開口を介して前記測色部と対向する位置に切り替えた後、前記第１ガイド部材に近づく方向に前記第２開口を通して移動させることにより前記基準面を押圧させ、
前記第２モードに対応して、前記第２対向部材を前記回転軸の周りを回転させて前記押圧面が前記第１開口を介して前記測色部と対向する位置に切り替えた後、前記第１ガイド部材に近づく方向に前記第２開口を通して移動させることにより前記押圧面で前記基準面を押圧させ、
前記第３モードに対応して、前記開口塞ぎ部材を前記回転軸の周りを回転させて前記第１開口を介して前記測色部と対向する位置に切り替えた後、前記第１ガイド部材に近づく方向に前記第２開口を通して移動させることにより前記基準面から所定距離離れた位置に配置する、請求項２または３に記載の画像読取装置。
【請求項５】
前記基準面から所定距離離れた位置は、前記開口塞ぎ部材の前記第１ガイド部材と対向する面が、前記第２ガイド部材の前記搬送路を介して前記基準面と対向する面と同一平面となる位置である、請求項４に記載の画像読取装置。
【請求項６】
前記第１対向部材は、前記用紙の測色される面と反対の面側に配置されることにより前記用紙の測色の際の背景に用いられる背景色の背景面を有し、前記背景面は、前記第１対向部材が前記第１ガイド部材を押圧する際、前記基準面に当接し、または前記基準面に所定の距離まで近接する、請求項１〜５のいずれか一項に記載の画像読取装置。
【請求項７】
前記第１対向部材が前記第１ガイド部材を押圧する面および前記第２対向部材の前記押圧面は、前記第１開口より大きい、請求項１〜６のいずれか一項に記載の画像読取装置。
【請求項８】
前記第１対向部材は、第１弾性部材の弾性力を利用して前記基準面を押圧する、請求項１〜７のいずれか一項に記載の画像読取装置。
【請求項９】
前記第２対向部材は、第２弾性部材の弾性力を利用して前記基準面を押圧する、請求項１〜８のいずれか一項に記載の画像読取装置。
【請求項１０】
前記第２対向部材の位置を検出する検出部と、
検出された前記第２対向部材の位置に基づいて、前記第２対向部材が前記基準面を押圧していると判断した場合、前記搬送部による前記用紙の搬送を禁止する制御部と、
をさらに有する請求項１〜９のいずれか一項に記載の画像読取装置。
【請求項１１】
前記測色部により測色された前記校正部材の測色値に基づいて前記測色部を校正する第１校正部をさらに有する請求項１〜１０のいずれか一項に記載の画像読取装置。
【請求項１２】
前記用紙上の前記画像を読み取ることで画像データを取得するスキャナーと、
前記測色部により測色された用紙上の画像の測色値と前記スキャナーにより取得された前記画像の前記画像データとに基づいて前記スキャナーを校正する第２校正部をさらに有する請求項１０に記載の画像読取装置。
【請求項１３】
前記測色部は、搬送路において前記スキャナーよりも搬送方向下流側に設けられる、請求項１２に記載の画像読取装置。
【請求項１４】
前記第１対向部材は背面シートを有し、前記背面シートは前記測色部による測色の際の背景に用いられる背景色を有する、請求項１〜１３のいずれか一項に記載の画像読取装置。
【請求項１５】
前記第１対向部材は、用紙に接触することで連れ回りするローラーを有し、前記ローラーの上端は前記背面シートより高い、請求項１４に記載の画像読取装置。
【請求項１６】
用紙に画像を形成する画像形成装置と、
前記画像形成装置で形成された前記用紙上の前記画像および基準色の校正部材を測色する、請求項１〜１５のいずれか一項に記載の画像読取装置と、
を有する画像形成システム。
【請求項１７】
請求項１〜１５のいずれか一項に記載の画像読取装置の制御プログラムであって、
前記測色部により前記校正部材を測色する第２モードに対応して、前記第２対向部材により、前記押圧面で前記基準面を押圧して、前記測色範囲に前記校正部材を配置する手順（ａ）と、
前記手順（ａ）において前記測色範囲に配置された前記校正部材を前記測色部により測色する手順（ｂ）と、
前記測色部により前記用紙上の前記画像を測色する第１モードに対応して、前記第１対向部材により、前記用紙を介して前記基準面を押圧して、前記測色範囲に前記用紙上の前記画像を配置する手順（ｃ）と、
前記手順（ｃ）において前記測色範囲に配置された前記用紙上の前記画像を測色する手順（ｄ）と、
をコンピューターに実行させるためのプログラム。
【請求項１８】
前記画像読取装置は、前記第１対向部材および前記第２対向部材を移動させる部材移動部をさらに有し、
前記部材移動部は、前記第１モードに対応して、前記第１対向部材を回転軸の周りを回転させて前記第１開口を介して前記測色部と対向する位置に切り替えた後、前記第１ガイド部材に近づく方向に移動させることにより前記基準面を押圧させ、前記第２モードに対応して、前記第２対向部材を前記回転軸の周りを回転させて前記押圧面が前記第１開口を介して前記測色部と対向する位置に切り替えた後、前記第１ガイド部材に近づく方向に移動させることにより前記押圧面で前記基準面を押圧させ、
前記プログラムは、前記コンピューターに、
前記第２モードに対応して、前記手順（ａ）および前記手順（ｂ）を実行させ、
前記第１モードに対応して、前記手順（ｃ）および前記手順（ｄ）を実行させる、請求項１７に記載のプログラム。
【請求項１９】
前記画像読取装置は、前記基準面と前記搬送路を介して所定の間隔をあけて対向する面に第２開口を有し、前記用紙を案内する第２ガイド部材と、前記第２開口を通って移動する開口塞ぎ部材と、をさらに有し、
前記部材移動部は、前記測色部による測色を行わない第３モードに対応して、前記第１対向部材および前記第２対向部材が、前記第２ガイド部材を挟んで前記搬送路の反対側に配置されるように前記第１対向部材および前記第２対向部材を前記第２開口を通じて移動させるとともに、前記開口塞ぎ部材を前記基準面から所定距離離れた位置に前記第２開口を通して移動させ、
前記プログラムは、
前記第３モードに対応して、前記部材移動部により、前記開口塞ぎ部材を、前記第２開口を通して前記第１ガイド部材に近づけることにより前記基準面から所定距離離れた位置に移動する手順（ｅ）をさらに前記コンピューターに実行させる、請求項１８に記載のプログラム。
【請求項２０】
前記画像読取装置は前記第２対向部材の位置を検出する検出部をさらに有し、
前記検出部により前記第２対向部材の位置を検出する手順（ｆ）と、
検出された前記第２対向部材の位置に基づいて、前記第２対向部材が前記第１ガイド部材を押圧していると判断した場合、前記搬送部による前記用紙の前記第１ガイド部材への搬送を禁止する手順（ｇ）をさらに前記コンピューターに実行させる、請求項１７〜１９のいずれか一項に記載のプログラム。
【手続補正２】
【補正対象書類名】明細書
【補正対象項目名】００１０
【補正方法】変更
【補正の内容】
【００１０】
（１）画像が形成された用紙を搬送路に沿って搬送する搬送部と、前記搬送路と対向する基準面に第１開口を有し、搬送された前記用紙を案内する第１ガイド部材と、前記第１ガイド部材により案内された前記用紙を介して前記基準面を押圧して前記用紙を前記基準面に当接することにより、前記基準面における前記第１開口内に設定された測色範囲に前記用紙上の前記画像を配置する第１対向部材と、基準色の校正部材を有する押圧面で前記基準面を押圧して、前記測色範囲に前記校正部材を配置する第２対向部材と、前記第１ガイド部材を挟んで前記搬送路の反対側に配置され、前記測色範囲に配置される、前記用紙上の前記画像および前記校正部材を測色する測色部と、前記測色部により前記用紙上の前記画像を測色する第１モードおよび前記測色部により前記校正部材を測色する第２モードに対応して前記第１対向部材および前記第２対向部材を移動させる部材移動部と、を有し、前記部材移動部は、前記第１モードに対応して、前記第１対向部材を回転軸の周りを回転させて前記第１開口を介して前記測色部と対向する位置に切り替えた後、前記第１ガイド部材に近づく方向に移動させることにより前記基準面を押圧させ、前記第２モードに対応して、前記第２対向部材を前記回転軸の周りを回転させて前記押圧面が前記第１開口を介して前記測色部と対向する位置に切り替えた後、前記第１ガイド部材に近づく方向に移動させることにより前記押圧面で前記基準面を押圧させる、画像読取装置。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
（２）前記搬送路を介して前記基準面に対向する面に第２開口を有し、前記用紙を案内する第２ガイド部材と、前記第２開口の少なくとも一部を塞ぐ開口塞ぎ部材と、をさらに有し、前記部材移動部は、前記測色部による測色を行わない第３モードに対応して、前記開口塞ぎ部材を前記第２開口の少なくとも一部を塞ぐ位置に配置させる、上記（１）に記載の画像読取装置。
（３）前記部材移動部は、前記第１対向部材および前記第２対向部材が、前記第２ガイド部材を挟んで前記搬送路の反対側に配置されるように前記第１対向部材および前記第２対向部材を前記第２開口を通じて移動させるとともに、前記開口塞ぎ部材を前記基準面から所定距離離れた位置に移動させる、上記（２）に記載の画像読取装置。
【手続補正５】
【補正対象書類名】明細書
【補正対象項目名】００１３
【補正方法】変更
【補正の内容】
【００１３】
（４）前記第２開口は、前記第２ガイド部材の、前記第１開口を介して前記測色部と対向する位置に設けられ、前記部材移動部は、前記第１モードに対応して、前記第１対向部材を回転軸の周りを回転させて前記第１開口を介して前記測色部と対向する位置に切り替えた後、前記第１ガイド部材に近づく方向に前記第２開口を通して移動させることにより前記基準面を押圧させ、前記第２モードに対応して、前記第２対向部材を前記回転軸の周りを回転させて前記押圧面が前記第１開口を介して前記測色部と対向する位置に切り替えた後、前記第１ガイド部材に近づく方向に前記第２開口を通して移動させることにより前記押圧面で前記基準面を押圧させ、前記第３モードに対応して、前記開口塞ぎ部材を前記回転軸の周りを回転させて前記第１開口を介して前記測色部と対向する位置に切り替えた後、前記第１ガイド部材に近づく方向に前記第２開口を通して移動させることにより前記基準面から所定距離離れた位置に配置する、上記（２）または（３）に記載の画像読取装置。
（５）前記基準面から所定距離離れた位置は、前記開口塞ぎ部材の前記第１ガイド部材と対向する面が、前記第２ガイド部材の前記搬送路を介して前記基準面と対向する面と同一平面となる位置である、上記（４）に記載の画像読取装置。
【手続補正６】
【補正対象書類名】明細書
【補正対象項目名】００１４
【補正方法】変更
【補正の内容】
【００１４】
（６）前記第１対向部材は、前記用紙の測色される面と反対の面側に配置されることにより前記用紙の測色の際の背景に用いられる背景色の背景面を有し、前記背景面は、前記第１対向部材が前記第１ガイド部材を押圧する際、前記基準面に当接し、または前記基準面に所定の距離まで近接する、上記（１）〜（５）のいずれかに記載の画像読取装置。
【手続補正７】
【補正対象書類名】明細書
【補正対象項目名】００１５
【補正方法】変更
【補正の内容】
【００１５】
（７）前記第１対向部材が前記第１ガイド部材を押圧する面および前記第２対向部材の前記押圧面は、前記第１開口より大きい、上記（１）〜（６）のいずれかに記載の画像読取装置。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
（８）前記第１対向部材は、第１弾性部材の弾性力を利用して前記基準面を押圧する、上記（１）〜（７）のいずれかに記載の画像読取装置。
（９）前記第２対向部材は、第２弾性部材の弾性力を利用して前記基準面を押圧する、上記（１）〜（８）のいずれかに記載の画像読取装置。
【手続補正１０】
【補正対象書類名】明細書
【補正対象項目名】００１８
【補正方法】変更
【補正の内容】
【００１８】
（１０）前記第２対向部材の位置を検出する検出部と、検出された前記第２対向部材の位置に基づいて、前記第２対向部材が前記基準面を押圧していると判断した場合、前記搬送部による前記用紙の搬送を禁止する制御部と、をさらに有する上記（１）〜（９）のいずれかに記載の画像読取装置。
（１１）前記測色部により測色された前記校正部材の測色値に基づいて前記測色部を校正する第１校正部をさらに有する上記（１）〜（１０）のいずれかに記載の画像読取装置。
（１２）前記用紙上の前記画像を読み取ることで画像データを取得するスキャナーと、
前記測色部により測色された用紙上の画像の測色値と前記スキャナーにより取得された前記画像の前記画像データとに基づいて前記スキャナーを校正する第２校正部をさらに有する上記（１０）に記載の画像読取装置。
（１３）前記測色部は、搬送路において前記スキャナーよりも搬送方向下流側に設けられる、上記（１２）に記載の画像読取装置。
（１４）前記第１対向部材は背面シートを有し、前記背面シートは前記測色部による測色の際の背景に用いられる背景色を有する、上記（１）〜（１３）のいずれかに記載の画像読取装置。
（１５）前記第１対向部材は、用紙に接触することで連れ回りするローラーを有し、前記ローラーの上端は前記背面シートより高い、上記（１４）に記載の画像読取装置。
【手続補正１１】
【補正対象書類名】明細書
【補正対象項目名】００１９
【補正方法】変更
【補正の内容】
【００１９】
（１６）用紙に画像を形成する画像形成装置と、前記画像形成装置で形成された前記用紙上の前記画像および前記校正部材を測色する、上記（１）〜（１５）のいずれかに記載の画像読取装置と、を有する画像形成システム。
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】変更
【補正の内容】
【００２７】
（１７）上記（１）〜（１５）のいずれかに記載の画像読取装置の制御プログラムであって、前記測色部により前記校正部材を測色する第２モードに対応して、前記第２対向部材により、前記押圧面で前記基準面を押圧して、前記測色範囲に前記校正部材を配置する手順（ａ）と、前記手順（ａ）において前記測色範囲に配置された前記校正部材を前記測色部により測色する手順（ｂ）と、前記測色部により前記用紙上の前記画像を測色する第１モードに対応して、前記第１対向部材により、前記用紙を介して前記基準面を押圧して、前記測色範囲に前記用紙上の前記画像を配置する手順（ｃ）と、前記手順（ｃ）において前記測色範囲に配置された前記用紙上の前記画像を測色する手順（ｄ）と、をコンピューターに実行させるためのプログラム。
【手続補正２０】
【補正対象書類名】明細書
【補正対象項目名】００２８
【補正方法】変更
【補正の内容】
【００２８】
（１８）前記画像読取装置は、前記第１対向部材および前記第２対向部材を移動させる部材移動部をさらに有し、前記部材移動部は、前記第１モードに対応して、前記第１対向部材を回転軸の周りを回転させて前記第１開口を介して前記測色部と対向する位置に切り替えた後、前記第１ガイド部材に近づく方向に移動させることにより前記基準面を押圧させ、前記第２モードに対応して、前記第２対向部材を前記回転軸の周りを回転させて前記押圧面が前記第１開口を介して前記測色部と対向する位置に切り替えた後、前記第１ガイド部材に近づく方向に移動させることにより前記押圧面で前記基準面を押圧させ、前記プログラムは、前記コンピューターに、前記第２モードに対応して、前記手順（ａ）および前記手順（ｂ）を実行させ、前記第１モードに対応して、前記手順（ｃ）および前記手順（ｄ）を実行させる、上記（１７）に記載のプログラム。
【手続補正２１】
【補正対象書類名】明細書
【補正対象項目名】００２９
【補正方法】変更
【補正の内容】
【００２９】
（１９）前記画像読取装置は、前記基準面と前記搬送路を介して所定の間隔をあけて対向する面に第２開口を有し、前記用紙を案内する第２ガイド部材と、前記第２開口を通って移動する開口塞ぎ部材と、をさらに有し、前記部材移動部は、前記測色部による測色を行わない第３モードに対応して、前記第１対向部材および前記第２対向部材が、前記第２ガイド部材を挟んで前記搬送路の反対側に配置されるように前記第１対向部材および前記第２対向部材を前記第２開口を通じて移動させるとともに、前記開口塞ぎ部材を前記基準面から所定距離離れた位置に前記第２開口を通して移動させ、前記プログラムは、前記第３モードに対応して、前記部材移動部により、前記開口塞ぎ部材を、前記第２開口を通して前記第１ガイド部材に近づけることにより前記基準面から所定距離離れた位置に移動する手順（ｅ）をさらに前記コンピューターに実行させる、上記（１８）に記載のプログラム。
【手続補正２２】
【補正対象書類名】明細書
【補正対象項目名】００３０
【補正方法】変更
【補正の内容】
【００３０】
（２０）前記画像読取装置は前記第２対向部材の位置を検出する検出部をさらに有し、前記検出部により前記第２対向部材の位置を検出する手順（ｆ）と、検出された前記第２対向部材の位置に基づいて、前記第２対向部材が前記第１ガイド部材を押圧していると判断した場合、前記搬送部による前記用紙の前記第１ガイド部材への搬送を禁止する手順（ｇ）をさらに前記コンピューターに実行させる、上記（１７）〜（１９）のいずれかに記載のプログラム。